(57)【要約】【課題】安全な場所に居ながら危険な場所での結束作業を可能とする。【解決手段】結束装置１１は、被結束物１０に結束ベルト１を結束させる装置であり、略棒状の操作部１０１と、把持部１１３と、回動部１１９と、結束部１５とを備えている。結束部１５の結束本体部１９は、結束ベルト１を通す筒状のベルト通路部２１を備え、そのベルト通路部２１には、開口部２１ｂが形成されており、その開口部２１ｂから結束ベルト１が露出されている。その露出された結束ベルトに接触するように、レバーが結束本体部に回動可能に軸支されている。そして、把持部１１３を把持することにより、回動部１１９が回動され、この回動により、レバーが回動する。これにより、結束ベルト１は、ベルト通路部２１から取り出される向きと逆向きにベルト通路部２１の内部を移動する。【選択図】図１
2007119042.tif 000002
【特許請求の範囲】
【請求項１】
被結束物に結束ベルトを巻き付けて結束させる結束装置であって、
略棒状部材の操作部と、
前記操作部の一端に設けられた把持部と、
前記操作部の他端に回動可能に軸支された回動部と、
前記操作部の他端側に固定された結束部と、
を備え、
前記結束部は、
内部に前記結束ベルトが通過可能な筒状に形成され、前記結束ベルトが取り出されるとともに前記被結束物に巻き付けられた結束ベルトが再導入される出入端を有するベルト通路部と、該ベルト通路部の一部に形成され、前記結束ベルトの対応する部分を露出させる開口部と、を有する結束本体部と、
前記結束本体部に設けられた軸に回動可能に軸支され、前記開口部から露出される結束ベルトに接触する接触部を有するレバーと、
を備え、
前記回動部は、前記把持部の把持により回動可能となり、該回動により前記レバーを回動させるように構成され、
前記レバーは、回動により、前記結束ベルトを、前記ベルト通路部の前記出入端から取り出される向きとは逆向きに前記ベルト通路内で移動させて、前記被結束物に結束させるように構成されていることを特徴とする結束装置。
【請求項２】
請求項１に記載の結束装置において、
前記出入端には、前記結束ベルトの前記再導入を案内する案内部が突設されている、結束装置。
【発明の詳細な説明】
【技術分野】
【０００１】
本発明は、結束ベルトを結束させる結束装置に関する。
【背景技術】
【０００２】
従来より、電柱に架設された電線などの長尺部材は、結束ベルトを用いて結束されている。
【０００３】
特許文献１には、直接結束ベルトに接触することなく、容易に且つ確実に結束ベルトを増し締めることができる結束装置が開示されている。その結束装置は、装置本体に、一側面にラック状の凹凸部を有する長尺結束ベルトを通過させるベルト通路と、結束ベルトの凹凸部に係止する係止爪を備える多数の止め具を整列状態で通過させる止め具通路とを備えており、ベルト通路の先端に止め具通路の先端の止め具を供給するとともに、この止め具を貫通して被結束物の周囲に回された結束ベルトの先端を止め具の係止爪に係止させて結束した状態で、結束ベルトをカッタで切断する結束装置である。そして、装置本体に、ベルト通路に形成した開放部から露出した結束ベルトの凹凸部に噛合離脱可能なギア部を有する増し締めレバーが、回動可能に取り付けられている。
【特許文献１】特開２００１−２４００１７号公報
【発明の開示】
【発明が解決しようとする課題】
【０００４】
ところで、配電工事においては、高所において充電部に近接して作業を行うため、その作業は危険を伴う。
【０００５】
本発明は、かかる点に鑑みてなされたものであり、その目的とするところは、安全な場所に居ながら高所における充電部に近接した箇所などの危険な場所での結束作業を可能とする結束装置に関する。
【課題を解決するための手段】
【０００６】
本発明は、被結束物に結束ベルトを巻き付けて結束させる結束装置である。そして、略棒状部材の操作部と、操作部の一端に設けられた把持部と、操作部の他端に回動可能に軸支された回動部と、操作部の他端側に固定された結束部と、を備え、結束部は、内部に結束ベルトが通過可能な筒状に形成され、結束ベルトが取り出されるとともに被結束物に巻き付けられた結束ベルトが再導入される出入端を有するベルト通路部と、ベルト通路部の一部に形成され、結束ベルトの対応する部分を露出させる開口部と、を有する結束本体部と、結束本体部に設けられた軸に回動可能に軸支され、開口部から露出される結束ベルトに接触する接触部を有するレバーと、を備え、回動部は、把持部の把持により回動可能となり、回動によりレバーを回動させるように構成され、レバーは、回動により、結束ベルトを、ベルト通路部の出入端から取り出される向きとは逆向きにベルト通路内で移動させて、被結束物に結束させるように構成されている。
【０００７】
上記の構成では、把持部を把持すれば、回動部が回動され、その回動によりレバーが回動される。レバーが回動されると、結束ベルトは、ベルトの取り出し向きと逆向きにベルト通路内を移動する。すなわち、把持部の把持により、結束ベルトを被結束物に結束させることができる。そして、把持部は、棒状の操作部の一端に設けられ、回動部は、棒状の操作部の他端に設けられている。そのため、遠隔操作により結束ベルトを被結束物に結束させることができる。
【０００８】
本発明では、出入端には、結束ベルトの再導入を案内する案内部が突設されていることが好ましい。
【０００９】
上記の構成では、結束ベルトは、案内部に案内されて、ベルト通路内へ再導入される。その結果、遠隔操作による結束が容易となる。
【発明の効果】
【００１０】
本発明によれば、安全な場所に居ながら危険な場所での結束作業が可能となる。
【発明を実施するための最良の形態】
【００１１】
以下、本発明の実施形態を図面に基づいて詳細に説明する。なお、本発明は以下に示す実施形態に限定されない。
【００１２】
本実施形態では、図１から図６を用いて、結束装置１１の構成と、結束装置１１の動作方法と、結束装置１１を用いて結束ベルト１を被結束物１０に結束する結束方法とを示す。図１は、結束装置１１を示す模式図である。図２は、結束ベルト１に止め具３が係止されている状態を示す断面図である。図３は、止め具３の斜視図である。図４は、結束部１５の分解平面図である。図５は、長尺な操作部１０１の平面図である。図６は、結束装置１１における動作方法を示す工程図である。なお、図６の上下方向は、図１及び４の上下方向と逆である。また、以下において、「前端側」及び「後端側」は、各々、結束ベルトのベルト通路２１内における移動方向に対して前方側及び後方側であることを意味する。また、上下方向は、各図面における上下方向を意味する。
【００１３】
まず、結束ベルト１及び止め具３の構造を示す。
【００１４】
結束ベルト１は、図２に示すように、一側面の中央付近にラック状の凹凸部１ａ，１ａ，…が形成された樹脂製のベルトである。止め具３は、図３に示すように、樹脂製の略角筒状部材である。筒は、内部に２本分の結束ベルト１，１が挿通可能に形成されており、対向する内壁面３ａ，３ａには、各々、結束ベルト１を係止する係止片５，５が形成されている。
【００１５】
次に、結束装置１１の構成を示す。
【００１６】
結束装置１１は、図１に示すように、結束部１５と、ベルトケース１７と、長尺な操作部１０１と、連結具１２とで構成されている。ベルトケース１７は、円柱状であり、その側面にはベルトを引き出すための引き出し用開口部（不図示）が形成されている。そして、結束部１５の後端側に着脱可能に取り付けられている。また、連結具１２は、操作部１０１の固定部１１７と結束部１５とを連結している。
【００１７】
結束部１５は、図４に示すように、結束本体部１９と、作動ヘッド４２と、操作レバー５９と、増し締めレバー（レバー）６１とで構成されている。そして、摘子部３７、作動ヘッド４３、操作レバー５９及び増し締めレバー６１以外の部分は、樹脂製の蓋Ａで蓋されている。
【００１８】
結束本体部１９には、ベルト通路部２１と止め具通路部２９と収容部３９とが形成されている。
【００１９】
ベルト通路部２１は、結束本体部１９の後端側から前端側へ向かって筒状に形成され、その内部に結束ベルト１が通過可能となるように形成されている。ベルト通路部２１の上側側面のうち、略中央付近にはストッパー挿入口２１ａが形成されており、後端側にはギア挿入口（開口部）２１ｂが形成されている。また、ベルト通路部２１の前方開口端（出入端）には、止め具３の受け片２３が前方に突出形成されており、この受け片２３の基部にはカッター挿通用開口溝２５が形成されている。
【００２０】
止め具通路部２９は、ベルト通路部２１よりも下方に、且つ略平行に筒状に形成されており、複数の止め具３，３，…とともに、棒状のプッシュガイド３１、プッシュブロック３３及びバネ３５を収容している。止め具３，３，…は、止め具通路部２９の長手方向に整列している。プッシュガイド３１は、整列された止め具３，３，…の筒内部に挿通されている。プッシュブロック３３及びバネ３５は、通路長手方向にスライド自在に設けられ、プッシュブロック３３は、最後端側の止め具４に隣接され、バネ３５は、プッシュブロック３１に隣接されている。摘子部３７が、プッシュガイド３１に連結されており、バネ３５を結束本体部１９の前端側に押圧している。
【００２１】
収容部３９は、ベルト通路部２１よりも上側に設けられ、作動ヘッド４２、操作レバー５９及び増し締めレバー６１を収容する。そのため、作動ヘッド用軸支軸３９ａが略中央付近に形成されており、操作レバー用軸支軸３９ｂが前端側に形成されており、増し締めレバー用軸支軸３９ｃが後端側に形成されている。そして、増し締めレバー用軸支軸３９ｃには、コイルバネ４１が巻き回されており、そのコイルバネ４１は、一端がストッパー挿入口２１ａ付近のベルト通路部２１に係合され、他端が増し締めレバー６１に形動されている。
【００２２】
作動ヘッド４２は、ヘッド本体４３と樹脂製部材５３とで構成されている。ヘッド本体４３は、略「Ｌ」状に形成され、アーム部４３ａと作動部４３ｂとを有する。アーム部４３ａの端部には、作動ヘッド用軸支軸３９ａの軸受孔部４５が形成されている。作動部４３ｂは、作動ヘッド軸支軸３９ｂを揺動中心とするアーム部４３ａの揺動に伴い、結束本体部１９の前端面に沿って移動する。また、作動部４３ｂには、貫通孔部４７及びその下方に止め具保持部４９が形成され、手前側にはカッター５１が設置されている。
【００２３】
樹脂製部材５３は、ヘッド本体４３の下方に配置され、リターンバネ部５５とストッパー部５７とで構成されている。ストッパー部５７の先端には、凹凸部５７ａ，５７ａが形成されており、結束ベルト１の凹凸部１ａと係合可能である。そして、樹脂製部材５３の後端側にも、作動ヘッド用軸支軸３９ａの軸受孔部４５が形成されている。
【００２４】
操作レバー５９は、基部側に下方に突出する凸部５９ａが形成されており、凸部５９ａの下端は、アーム部４３ａの上面に当接している。
【００２５】
増し締めレバー６１は、下部に扇状部６３が形成され、その扇状部６３の先端にはギア部（接触部）６５が形成されている。また、略中央付近には、増し締めレバー用軸支軸３９ｃの軸受孔部６１ａが形成されている。
【００２６】
操作部１０１は、図５に示すように、操作棒１０３と、補助操作棒１０５と、上端把持部１１５と、下端把持部１１３とで構成されている。
【００２７】
操作棒１０３と補助操作棒１０５とは、互いが略平行となるように上端を揃えて連結されている。操作棒１０３の下端側には、ロック機構１０９が固定されている。また、略「Ｌ」状の操作レバー１１１が、その先端が補助操作棒１０５の下端に回動可能に軸支され、その隅部がロック機構１０９に回動可能に軸支されて、設けられている。そして、下端把持部１１３は、ロック機構１０９よりも下端側の操作棒の部分１０３ａと操作レバー１１１とで構成されている。
【００２８】
上端把持部１１５は、固定部１１７と回動部１１９とで構成されている。固定部１１７は、操作棒１０３の上端に固定されており、回動部１１９は、固定部１１７に接離可能となるように補助操作棒１０５の上端に回動可能に軸支されている。
【００２９】
なお、ロック機構１０９は、詳細を省略するが、上端把持部１１５が閉じる方向に操作レバー１１１が回動するのを許容し、一方向回転機構とロック操作部とを有する（いずれも不図示）。一方向回転機構は、上端把持部１１５が開く方向に操作レバー１１１が回動するのを阻止する。ロック操作部は、誘動可能なロックレバー部材（不図示）を備え、ロックレバー部材は、ロック時に一方向回転機構を保持して、ロック解除時に一方向回転機構を解除して上端把持部１１５を閉じる方向と開く方向のいずれの方向にも操作レバー１１１が回動するのを許容する。
【００３０】
結束装置１では、下端把持部１１３を把持すると、操作レバー１１１は、操作棒の下端側１０３ａに近づく方向に回動して、補助操作棒１０５を下方へ移動させる。この補助操作棒１０５の移動により、回動部１１９は、固定部１１７から離れるように回動して、増し締めレバー６１を結束本体部１９に近づく方向に回動させる。これにより、ギア部６５が前端側から後端側へ向かう方向に回動するため、ベルト通路部２１内の結束ベルト３は、前端側から後端側へ移動する。これにより、被結束物１０に結束ベルト３を結束させることができる。
【００３１】
以上より、結束装置１では、下端把持部１１３の把持により、増し締めレバー６１を回動させることができ、その結果、結束ベルト１を被結束物１０に結束させることができる。よって、結束装置１を用いれば、遠隔操作による結束が可能である。従って、例えば、電柱の高所に架設された電線などを結束させる際、作業者が高所まで赴く必要なく結束作業を行うことができるため、危険を伴うことなく結束作業を行うことができるとともに、作業効率を向上させることができる。
【００３２】
続いて、図６を用いて、結束装置１における動作方法を示す。
【００３３】
まず、被結束物１０、例えば、架空配線された複数本の電線に、結束部１５を位置付ける。このとき、位置付ける前に、ベルトケース１７の引き出し開口部から結束ベルト１の端部がベルト通路部２１の前方開放端２１ｃ付近にあることを確認しておく。
【００３４】
次に、操作部１０１と略同一の構成の遠隔操作用の長尺部材（不図示）を用いて、作動レバー４２を引き上げる（図４では、作動レバー４２を引き下げる）。すると、アーム部４３ａが、リターンバネ部５５に抗して作動ヘッド用軸支軸３９ａ中心に揺動され、作動部４３ｂが、結束本体部１９の前方端面に沿って上へ移動する（図４では、作動部４３ｂが、結束本体部１９の前方端面に沿って下へ移動する）。その結果、図６（ａ）に示すように、止め具通路部２９の前方開放端が貫通孔部４７に整合され、最前端の止め具６が止め具保持部４９へ収容される。
【００３５】
続いて、遠隔操作用の長尺部材を用いて、作動レバー４２を引き下げて元の位置に戻す（図４では、作動レバー４２を引き上げて元の位置に戻す）。すると、アーム部４３ａは、図６（ｂ）に示すように、リターンバネ部５５の復元力に従って元の位置にもどり、最前端の止め具６だけが止め具保持部２９に収容されたままである。
【００３６】
続いて、遠隔操作用の長尺部材を用いて、ベルト通路部２１の前方開放端２１ｃ付近の結束ベルト１の先端をつまみ、被結束物１０に巻き付ける。そして、図６（ｃ）に示すように、前方開放端２１ｃ及び止め具保持部２９内の止め具６の筒内部へ再度導入させて、ベルトの端部付近を係止片５で固定させる。
【００３７】
続いて、操作部１０１の操作レバー１１１を握る。すると、補助操作棒１０５は、引き下げられる。これにより、回動部１１９が固定部１１７から遠ざかる方向に回動され、その結果、図６（ｄ）に示すように、増し締めレバー６１がコイルバネ４１に抗して結束本体部１９へ近づく方向に回動される。このとき、ギア部６５は、ギア挿入口２１ｂから露出している結束ベルトの凹凸部に噛合されているため、結束ベルト１は、増し締めレバー６１の回動により、前端側から後端側へ移動する。
【００３８】
続いて、操作棒１０１の操作レバー１１１から手を外す。すると、補助操作棒１０５は、引き上げられて元の位置にもどる。これにより、回動部１１９が固定部１１７へ近づく方向に回動され、その結果、増し締めレバー６１がコイルバネ４１の復元力に従って結束本体部１９から遠ざかる方向に回動されて元の位置にもどる。
【００３９】
続いて、再び、操作棒１０１の操作レバー１１１を握る。すると、回動部１１９の回動により増し締めレバー６１は回動されるが、１回目のとき以上に、結束ベルト１は前方端から後方端へ移動する。
【００４０】
そして、増し締め操作が終了すれば、遠隔操作用の長尺部材を用いて、作動レバー４２を引き上げる（図４では、作動レバー４２を引き下げる）。すると、アーム部４３ａがリターンバネ部５５に抗して、作動部４３ｂが結束本体部１９の前方端面に沿って上へ移動する（図４では、作動部４３ｂが結束本体部１９の前方端面に沿って下へ移動する）。作動部４３ｂの移動に伴って、カッター５１も伴に移動する。すなわち、カッター５１は、受け片２３の基部のカッター挿通用開口溝２５を通過し、これにより、図６（ｅ）に示すように、結束ベルト１は切断される。
【００４１】
以上より、結束装置１は、長尺な操作部１０１を備えているため、安全な場所に居ながら高所における充電部に近接した箇所などの危険な場所での結束作業を行うことができる。
【００４２】
なお、上記実施形態における結束装置は、図７に示すように、ベルト通路部２１の前方開放端２１ｃに、案内部７１が突設されていることが好ましい。このような構成により、遠隔操作用の長尺部材を用いて、結束ベルトをベルト通路部に容易に再導入させることが可能となる。従って、さらに作業時間を短縮させることができる。
【００４３】
また、上記実施形態において、結束部の構成は、上述の結束部の構成以外の構成であってもよいし、操作部の構成は、上述の操作部の構成以外の構成であってもよい。少なくとも、操作部には把持部が設けられており、把持部の把持により、結束装置の増し締めレバーが回動されて結束ベルトが被結束物に対して強く締め付けられる構成となっていればよい。
【産業上の利用可能性】
【００４４】
以上説明したように、本発明は、遠隔操作可能な結束装置について有用である。
【図面の簡単な説明】
【００４５】
【図１】結束装置の構成を示す模式図である。
【図２】結束ベルトが止め具に係止されているときの様子を示す模式図である。
【図３】止め具の斜視図である。
【図４】結束部の本体部の分解平面図である。
【図５】操作部の平面図である。
【図６】結束装置における動作を示す工程図である。
【図７】ベルト通路部の前方開放端における別の構成を示す図である。
【符号の説明】
【００４６】
１    結束ベルト
１０    被結束物
１１    結束装置
１５    結束部
１９    結束本体部
２１    ベルト通路部
２１ｂ    ギア挿入口（開口部）
２１ｃ    前方開放端（出入端）
２９    凹部
３９ｃ    増し締めレバー軸支軸（軸）
６１    増し締めレバー（レバー）
６５    ギア部（接触部）
７１    案内部
１０１    操作部
１１３    下端把持部（把持部）
１１９    回動部
【図１】
2007119042.tif 000003
【図２】
2007119042.tif 000004
【図３】
2007119042.tif 000005
【図４】
2007119042.tif 000006
【図５】
2007119042.tif 000007
【図６】
2007119042.tif 000008
【図７】
2007119042.tif 000009